【事件の表示】
　特願２００１−１６７１７４「冷却ファン制御装置および液晶プロジェクタ」拒絶査定不服審判事件〔平成１４年１２月１８日出願公開、特開２００２−３６４５８３〕について、次のとおり審決する。
【結　論】
　本件審判の請求は、成り立たない。
【理　由】
１．手続の経緯・本願発明
　本願は、平成１３年６月１日の出願であって、その請求項１及び２に係る発明は、平成２０年６月３日付の手続補正書により補正された明細書及び出願当初の図面の記載からみて、特許請求の範囲の請求項１及び２に記載された事項により特定されるとおりのものと認められるところ、その請求項１には次のとおり記載されている。
「温度センサの検出温度に基づいて、冷却ファンを回転させるファンモータの駆動電圧を制御する冷却ファン制御装置において、
　前記冷却ファン制御装置は、冷却ファンが回転駆動していることを検知する検知手段を有し、冷却ファン起動時には、冷却ファンが回転駆動するまでの間はファンモータの駆動電圧を、ファンモータを停止状態から回転駆動させるために最低限必要なファン起動用最低電圧値の一定の電圧に制御し、冷却ファンが回転駆動していることを検知手段により検知すると、ファンモータの駆動電圧を、前記ファン起動用最低電圧値よりも低い所定の第１電圧値に制御すると共に、前記第１電圧値からファン起動用最低電圧値よりも高い所定の第２電圧値までの範囲内において、温度センサの検出温度が高くなるほど高くなるように制御することを特徴とする冷却ファン制御装置。」（以下「本願発明」という。）
　
２．引用刊行物
（１）これに対して、当審の拒絶の理由に引用した特開平１１−１５５６７号公報（以下「引用刊行物１」という。）には、「ファンモータ駆動回路」に関し、図面と共に次の事項が記載されている。
・「【０００３】この回路では、サーミスタ１３が周囲温度に応じて抵抗値が変化するため、シャントレギュレータ１２の出力電圧およびトランジスタ１１のドロップ電圧が変化し、周囲温度に応じてファンモータ４を駆動する電圧が変化する為、高温時には高回転、低温時には低回転となるように、このファンモータ４の回転数を制御して、できるだけ少ない騒音で必要な冷却能力を得ることができる。
【０００４】
【発明が解決しようとする課題】　従来の技術によるファンモータ駆動の第１の問題点は、ファンモータが安定に起動しないことである。その理由は、ファンモータは低温時に起動し難くなるという特性を有している為、低温時に温度制御回路によってファンモータを低い駆動電圧で起動すると、起動トルクが不足し、ファンモータが起動し難いことにある。」
・「【０００６】
【課題を解決するための手段】請求項１に記載の発明は、パーソナルコンピュータ等に使われるファンモータ駆動回路において、定格電圧を印加してファンモータを起動するファンモータ起動回路と、周囲温度に対応してファンモータに印加する電圧を制御する温度制御回路と、前記ファンモータ起動回路と前記温度制御回路とを切り換える切り換え回路と、を具備することを特徴とするファンモータ駆動回路を提供する。」
・「【００１０】次に、本発明による実施形態の動作を図２に示す回路図によって説明する。通常、ファンモータ４は入力電源９から与えられる直流電圧を温度制御回路３のサーミスタ１３と抵抗１４とで分圧し、その分圧比によってシャントレギュレータ１２とトランジスタ１１を制御し、ファンモータ４の入力電圧を制御する。この回路では、周囲温度に応じてサーミスタ１３の抵抗値が変化して、ファンモータ４は周囲温度に応じた温度制御を行う。
【００１１】次に、ファンモータ起動回路２について説明する。このファンモータ起動回路２に電源確定信号８が入力されていない期間はトランジスタ１８はオフし、トランジスタ１８のオフによりトランジスタ１９がオンする。このトランジスタ１９のオンにより、前記入力電源９の電圧が直接ファンモータ４に印加され、ファンモータ４は温度制御回路による駆動電圧よりも高い電圧で起動される。
【００１２】一定時間後に電源確定信号８が発生し、ファンモータ起動回路２に入力されると、抵抗１５を通してトランジスタ１８の駆動電流が流れてこのトランジスタ１８がオンし、トランジスタ１９はオフする。このトランジスタ１９のオフによりファンモータ４は温度制御回路によるファンモータ駆動に切り替わる。
【００１３】図３を参照すると、時刻ｔ１において電源ＯＮ／ＯＦＦ信号がＬｏｗになると時刻ｔ２において電源電圧が出力され、ファンモータには定格電圧が印加されて安定な起動を行うことができる。前記電源電圧が出力されてから、約５００ｍＳ後の時刻ｔ３になると、電源電圧が安定したことを知らせる電源確定信号がＨｉｇｈとなる。この電源確定信号がＨｉｇｈの期間は温度制御によるファンモータ駆動となり周囲温度に対応した回転制御が行われる。」
　
　したがって、引用刊行物１には、次の事項からなる発明（以下「引用発明」という。）が記載されているといえる。
「周囲温度に応じたサーミスタの抵抗値の変化に基づいて、ファンモータの入力電圧を制御するファンモータ駆動回路において、
　前記ファンモータ駆動回路は、ファンモータ起動時には、ファンモータを停止状態から回転駆動させるためにファンモータの駆動電圧を、温度制御回路による駆動電圧よりも高い定格電圧に制御し、電源電圧が出力されてから一定時間後に電源確定信号が発生すると、ファンモータの駆動電圧を、前記定格電圧よりも低い電圧値に制御すると共に、前記定格電圧よりも低い電圧値の範囲内において、周囲温度に対応して高温時には高電圧、低温時には低電圧となるように制御するファンモータ駆動回路。」
　
（２）同じく当審の拒絶の理由に引用した特開平９−２５２５８７号公報（以下「引用刊行物２」という。）には、「モータ制御装置」に関し、図面と共に次の事項が記載されている。
・「【０００２】
【従来の技術】従来、レーザプリンタなどの画像記録装置内のモータ制御装置の電源としては、通常、メインモータ、スキャナモータ、ファンモータ等のモータ駆動用（１２Ｖなど）とモータ制御用（５Ｖなど）の二出力電源を用いている。これらの電源出力電圧は負荷の変動に追従して一定となるようにフィードバック制御されている。このため、モータ起動時等、大きな電力が必要なときでも電圧は一定に制御されてしまい、かつモータに流れる電流値も電流制限抵抗によって一定以上にならないように制御されている。したがって、大きな電力が必要なときでも、モータに入力される電力は一定であり起動特性はモータの能力によって決定されていた。」
・「【０００９】モータ４はエンジンを駆動させるためのメインモータであり、モータドライバ３７はそのモータ４内のホール素子などの回転検知手段からの回転数検知信号Ｓ２を用いて、モータ４の実際の回転数を目標回転数と同じになるように、電源１をオン，オフさせて制御する。
【００１０】３８は電流制限抵抗であり、プリント開始時などモータ４の負荷トルクが多いときに、モータ４に一定電流以上の電流が流れると、モータドライバ３７をオンするのを止め、モータドライバ３７やモータ４を発熱等からの破壊を防ぐためのものである。モータ４が規定回転数に達すると、消費電流が減り、それと共にモータドライバ３７はＲＤＹ信号をエンジンコントローラ３４へ出力する。エンジンコントローラ３４は起動を開始してからＲＤＹ信号を検知したときに、トランジスタ３６のみをオフとなし、モータ起動用電源３を遮断し、モータ駆動用電源１のみからモータ４に給電し、以てモータ４への印加電圧を定常状態に下げるようにしている。」
・「【００２２】また、本発明では、モータに駆動電力を供給するモータ駆動電源と、前記モータ駆動電源からの出力電圧を前記モータに供給し、及び前記モータから回転数の検出出力を受信して前記モータが予め定めた回転数に達したときにレディ信号を発生するモータドライバと、……」
・「【００３３】図１において、図４に示したモータ駆動用電源１と制御用電源２はそのままであるが、画像記録制御手段としてのエンジンコントローラ３４は、モータ４の起動時に電源１の電圧を１２Ｖから１５Ｖに変えるための電圧変更信号Ｓ１を発生する。」
・「【００４２】図２の（ｃ）に示すように、本発明の実施例では、電源１の電源電圧を起動開始時のみ１５Ｖまで上昇させることで、モータ４を起動するための別電源を設けた従来例についての図２（ｂ）の場合と同様の効果が得られる。本実施例により、モータ起動時間が短縮され、装置のファーストプリントタイムを短くすることが可能となる。」
　
　これらの記載によれば、引用刊行物２には、「電源電圧を起動開始時のみ上昇させ、モータが規定回転数に達したときにレディ信号が入力されて前記電圧を定常状態に下げるコントローラにおいて、前記レディ信号が回転数検知信号から得られるモータ制御装置」の発明が記載されているといえる。
　
（３）同じく当審の拒絶の理由に引用した特開昭６１−２９１２１１号公報（以下「引用刊行物３」という。）には、「風量制御装置」に関し、図面と共に次の事項が記載されている。
・「第３図はフローチャート図であり、まず操作スイッチを操作し、水温が設定値ＴＤ以上の場合は、ブロアモータをＨｉ高速運転し、以下の場合は、一定時間（２〜３sec）一定電圧Ｖ１を印加する。これはブロアモータの場合、起動時一定電圧以上を印加しないと回転しないためである。その後、水温センサーで検出される水温により、ブロアモータ電圧が演算され、風量が自動的に変化する。
　これを第２図で説明すると、ラジエター水温が徐々に上昇すると、ブロアモータ３には操作スイッチ作動後、一定時間だけＶ１の電圧が印加され、その後ブロアモータ印加電圧は徐々に上昇する。ラジエター水温がＴＤになるとブロアモータ３はＨｉになる。」（２頁右上欄１５行〜左下欄８行）
　
　また、第２図には、ブロアモータが起動した後のブロアモータ電圧を、起動時の一定電圧Ｖ１より低い電圧から起動時の一定電圧Ｖ１より高い電圧までの範囲で電圧を制御することが示されている。
　
　この記載によれば、引用刊行物３には、水温が設定値ＴＤ以下の場合、この値以上印加しないとブロアモータが回転しない一定電圧Ｖ１、すなわち、モータの起動に必要な最低電圧である一定電圧を印加してモータを起動させるようにした発明が記載されている。
　
３．対比
　本願発明と引用発明とを対比すると、後者の「周囲温度に応じたサーミスタの抵抗値の変化に基づいて」は、前者の「温度センサの検出温度に基づいて」に相当し、以下同様に「ファンモータの入力電圧」は「冷却ファンを回転させるファンモータの駆動電圧」に、「ファンモータ駆動回路」は「冷却ファン制御装置」に、「ファンモータ起動時」は「冷却ファン起動時」に、それぞれ相当する。
　また、後者の「ファンモータを停止状態から回転駆動させるためにファンモータの駆動電圧を、温度制御回路による駆動電圧よりも高い定格電圧に制御」することと、前者の「冷却ファンが回転駆動するまでの間はファンモータの駆動電圧を、ファンモータを停止状態から回転駆動させるために最低限必要なファン起動用最低電圧値の一定の電圧に制御」することとは、「冷却ファンが回転駆動するまでの間はファンモータの駆動電圧を、ファンモータを停止状態から回転駆動させるためのファン起動用電圧値の一定の電圧に制御」する点において共通する。
　そして、引用発明において、「電源電圧が出力されてから一定時間後に電源確定信号が発生する」ことの技術的意義は、ファンモータが安定な起動を行うのに十分な時間だけ定格電圧を供給できた、つまり、ファンモータが確実に起動できたことを推定するための一手段といえるから、引用発明の「電源電圧が出力されてから一定時間後に電源確定信号が発生すると、ファンモータの駆動電圧を、定格電圧よりも低い電圧値に制御」する態様と本願発明の「冷却ファンが回転駆動していることを検知手段により検知すると、ファンモータの駆動電圧を、ファン起動用最低電圧値よりも低い所定の第１電圧値に制御」する態様とは、「冷却ファンが回転駆動していることを所定手段で認識すると、ファンモータの駆動電圧を、ファン起動用電圧値よりも低い電圧値に制御」するとの概念で共通する。
　さらに、引用発明の「定格電圧よりも低い電圧値の範囲内において、周囲温度に対応して高温時には高電圧、低温時には低電圧となるように制御」という態様と本願発明の「第１電圧値からファン起動用最低電圧値よりも高い所定の第２電圧値までの範囲内において、温度センサの検出温度が高くなるほど高くなるように制御」という態様とは、「ファン起動用電圧値よりも低い電圧値から所定の高電圧までの範囲内において、温度センサの検出温度が高くなるほど高くなるように制御」との態様で共通する。
　したがって両者は、
［一致点］
　「温度センサの検出温度に基づいて、冷却ファンを回転させるファンモータの駆動電圧を制御する冷却ファン制御装置において、
　前記冷却ファン制御装置は、冷却ファン起動時には、冷却ファンが回転駆動するまでの間はファンモータの駆動電圧を、ファンモータを停止状態から回転駆動させるために必要なファン起動用電圧値の一定の電圧に制御し、冷却ファンが回転駆動していることを所定手段で認識すると、ファンモータの駆動電圧を、前記ファン起動用電圧値よりも低い電圧値に制御すると共に、前記ファン起動用電圧値よりも低い電圧値から所定の高電圧までの範囲内において、温度センサの検出温度が高くなるほど高くなるように制御する冷却ファン制御装置。」で一致し、
［相違点］
（ア）「冷却ファンが回転駆動していることを所定手段で認識する」構成に関して、本願発明が、「冷却ファンが回転駆動していることを検知する検知手段を有し」、該「検知手段により」、冷却ファンが回転駆動していることを「検知」するものであるのに対し、引用発明では上記「検知手段」を有しておらず、「電源電圧が出力されてから一定時間後に電源確定信号が発生」するものである点、
（イ）冷却ファンが回転駆動するまでの間のファンモータの駆動電圧の制御に関するファン起動用電圧値が、本願発明では、ファンモータを停止状態から回転駆動させるために「最低限」必要なファン起動用「最低」電圧値であるのに対し、引用発明では、「定格電圧」である点、及び
（ウ）冷却ファンが回転駆動した後の電圧制御範囲が、本願発明では、ファン起動用「最低」電圧値よりも低い「所定の第１電圧値」から「ファン起動用最低電圧値よりも高い所定の第２電圧値」の範囲内であるのに対し、引用発明では、「定格電圧よりも低い電圧値」の範囲内である点で相違している。
　
４．相違点に対する判断
相違点（ア）について
　引用刊行物２には、モータが起動したことを、モータが回転駆動していることを検知する検知手段により検知して信号を発生する発明が記載されている。
　この信号は、モータの起動を認識するためのものである点で引用発明の「電源確定信号」と同様の機能を有するものであるから、引用発明において起動を認識する所定手段として引用刊行物２に記載された発明を採用することで相違点（ア）にかかる本願発明の構成とすることは当業者が容易になし得たことと認められる。
　
相違点（イ）及び（ウ）について
　「起動時」にモータの駆動電圧を、起動に必要な最低電圧である一定電圧を印加して起動させるようにした発明が引用刊行物３に記載されている。
　そして、ファンモータを起動させるための電圧としてどのような電圧を設定するかは、所望の起動特性に応じて任意に設定される程度のものであるから、引用発明における「定格電圧」に代えて、引用刊行物３に記載された発明を採用して相違点（イ）に係る本願発明の構成とすることは当業者に容易である。
　なお、起動電圧として引用刊行物３に記載された発明を採用した場合には、引用刊行物３の第２図に、起動電圧より低い電圧から起動電圧より高い電圧までの範囲で電圧を制御することが示されているように、ファン起動用「最低」電圧値よりも低い「所定の第１電圧値」から「ファン起動用最低電圧値よりも高い所定の第２電圧値」の範囲内で電圧を制御する構成となることは自明の事項に過ぎない。
　そうすると、引用発明において、引用刊行物３に記載された発明を採用して相違点（イ）及び（ウ）に係る本願発明の構成とすることは、当業者が容易になし得たことと認められる。
  
　また、本願発明の全体構成により奏される効果は、引用発明、引用刊行物２に記載された発明及び引用刊行物３に記載された発明から予測し得る程度のものと認められる。
　
５．むすび
　したがって、本願発明は、引用発明、引用刊行物２に記載された発明及び引用刊行物３に記載された発明に基づいて当業者が容易に発明をすることができたものであるので、特許法第２９条第２項の規定により特許を受けることができない。
　よって、結論のとおり審決する。